(57)【要約】【課題】建物の外壁Ｗに設けられる耐火構造に無機材料を使用し、十分な耐火性を長期間に亘り安定して確保するとともに、材料の軽量化によって施工性を高める。【解決手段】無機質材料を含む複数枚の無機板６，６，…を互いに突き合わして壁面に沿って並べてなる無機板層４，５が壁厚さ方向に２層積層されている。外側無機板層５における無機板６，６同士の継ぎ目７は、内側無機板層４における無機板６，６同士の継ぎ目７に対し壁面に沿った方向に位置ずれしている。さらに、各無機板６の外面に気体を遮蔽する不燃塗料の塗膜からなる気体遮蔽層９が設けられている。【選択図】図２
2016118032.tif 000002
【特許請求の範囲】
【請求項１】
建物の外壁に設けられる耐火構造であって、
無機質材料を含む複数枚の無機板を互いに突き合わして壁面に沿って並べてなる無機板層を備え、
上記各無機板の外面及び内面の少なくとも一方に気体を遮蔽する気体遮蔽層が設けられていることを特徴とする外壁の耐火構造。
【請求項２】
請求項１において、
無機板層は壁厚さ方向に２層以上積層されており、
壁厚さ方向に隣接する無機板層の一方における無機板同士の突き合わせ部分に位置する継ぎ目は、他方の無機板層における無機板同士の継ぎ目に対し壁面に沿った方向に位置ずれしていることを特徴とする外壁の耐火構造。
【請求項３】
請求項１又は２において、
気体遮蔽層は、無機物を主成分とする不燃性塗料であることを特徴とする外壁の耐火構造。
【請求項４】
請求項１〜３のいずれか１つにおいて、
各無機板の外面に気体遮蔽層が設けられていることを特徴とする外壁の耐火構造。
【請求項５】
請求項１〜４のいずれか１つにおいて、
各無機板において無機板層間の積層面に相当する面に気体遮蔽層が設けられていることを特徴とする外壁の耐火構造。
【発明の詳細な説明】
【技術分野】
【０００１】
本発明は、外壁に設けられる耐火構造に関する。
【背景技術】
【０００２】
都市部の建物が密集する地域では、火災が発生すれば延焼によって大きな被害が生じる可能性が高く、このような地域は防火地域や準防火地域とされ、建物はその階数や延べ面積に応じて要求される耐火性能を備えた基準による建築が義務付けられている。
【０００３】
耐火構造を有する外壁構造として、鉄骨下地に木毛セメント板及び石膏ボードを積層した構造が知られている。一般的に、耐火性能は材料の重量及び厚さに比例して高くなるので、厚さ２５ｍｍの木毛セメント板及び４２ｍｍの石膏ボードを用いると、耐火性能が上昇する。しかし、その反面、このような厚さの木毛セメント板や石膏ボードの重量が増大するので、施工性が悪くなる。
【０００４】
また、セメント系や珪酸カルシウム系の耐火材料は、自由水や結合水等の水分を多量に保持しており、加熱状態になると、この水分に起因して割れが発生することがあり、火災の際に可燃性の気体がその割れを通って屋内側に流入し、耐火性の悪化を招く。
【０００５】
他方、特許文献１に示すように、石膏ボード（又は木毛セメント板）の屋外側にフェノールフォームを積層し、そのフェノールフォームの外側に金属外装板を当接させてビス止めした耐火性外壁構造が提案されている。
【先行技術文献】
【特許文献】
【０００６】
【特許文献１】特開２０１１−１４０８３４号公報
【発明の概要】
【発明が解決しようとする課題】
【０００７】
この提案のものでは、フェノールフォームの使用によって軽量化が図られるものの、そのフェノールフォームは有機材料であるので、火災時の熱に弱くて劣化するだけでなく、経年変化に伴う劣化も避けられないという問題がある。
【０００８】
本発明は斯かる点に鑑みてなされたものであり、その目的は、外壁の耐火構造に改良を加えることにより、その耐火構造の十分な耐火性を長期間に亘り安定して確保するとともに、材料の軽量化によって施工性を高めようとすることにある。
【課題を解決するための手段】
【０００９】
上記の目的を達成すべく、この発明では、無機材料を使用した複数枚の無機板を外壁壁面に沿って並べ、その各無機板の少なくとも片面に気体遮蔽層を形成するようにした。
【００１０】
具体的には、第１の発明は、建物の外壁に設けられる耐火構造であって、無機質材料を含む複数枚の無機板を互いに突き合わして壁面に沿って並べてなる無機板層を備え、上記各無機板の外面及び内面の少なくとも一方に気体を遮蔽する気体遮蔽層が設けられていることを特徴とする。
【００１１】
この第１の発明では、建物の外壁に設けられる耐火構造は、複数枚の無機板を互いに突き合わして並べた無機板層を備えた構造であり、その無機板が軽量であるので、施工性を高めることができる。しかも、無機板自体の耐火性能が高いので、その厚さを薄くすることができ、薄い無機板を用いることによって施工性をさらに高めることができる。
【００１２】
さらに、各無機板の外面及び内面の少なくとも一方に気体遮蔽層が設けられているので、火災時の高温のガス（気体）が無機板を通して屋内側に流入しようとしてもそれは気体遮蔽層によって遮蔽されるようになり、耐火性能を高めることができる。
【００１３】
また、無機板は有機材料とは異なり、火災時の熱劣化や経年劣化が生じることもなく、また、無機板には自由水や結合水が殆ど含まれていないので、その無機板が火災時の熱によって割れることもない。よって十分な耐火性を長期間に亘り安定して確保することができる。
【００１４】
第２の発明は、第１の発明において、上記無機板層は壁厚さ方向に２層以上積層されており、壁厚さ方向に隣接する無機板層の一方における無機板同士の突き合わせ部分に位置する継ぎ目は、他方の無機板層における無機板同士の継ぎ目に対し壁面に沿った方向に位置ずれしていることを特徴とする。
【００１５】
この第２の発明では、耐火構造は、複数枚の無機板を互いに突き合わして並べた無機板層が壁厚さ方向に２層以上積層された構造であり、その壁厚さ方向に隣接する一方の無機板層における無機板同士の継ぎ目が、他方の無機板層における無機板同士の継ぎ目に対し壁面に沿った方向に位置ずれしているので、仮に屋外側の無機板層における無機板同士の継ぎ目に火災時の高温のガスが進入しても、そのガスは同継ぎ目に面する屋内側の無機板層によって遮蔽され、それ以上の進入が阻止される。このことによって耐火性能をさらに高めることができる。
【００１６】
第３の発明は、第１又は第２の発明において、上記気体遮蔽層は、無機物を主成分とする不燃性塗料であることを特徴とする。
【００１７】
この第３の発明では、気体遮蔽層となる不燃性塗料は耐熱性があり、火災の炎に曝される部分にも使用することができる。
【００１８】
第４の発明は、第１〜第３の発明のいずれか１つにおいて、各無機板の外面に気体遮蔽層が設けられていることを特徴とする。
【００１９】
この第４の発明では、各無機板の外面に気体遮蔽層が設けられているので、屋外側から無機板を通ろうとする高温のガスを通過前に遮蔽することができる。
【００２０】
第５の発明は、第１〜第４の発明のいずれか１つにおいて、各無機板において無機板層間の積層面に相当する面に気体遮蔽層が設けられていることを特徴とする。
【００２１】
この第５の発明では、各無機板における無機板層間の積層面に相当する面に気体遮蔽層が設けられているので、屋外側の無機板層の無機板間の継ぎ目から流入して屋内側の無機板層の無機板により遮蔽された可燃性ガスが、仮に壁面に沿った方向に移動しようとしても、そのガスは、屋内側及び屋外側の無機板層の間の積層面に設けられている気体遮蔽層によって遮蔽され、そこから屋内側に進入することが阻止され、よって耐火性能を高めることができる。
【発明の効果】
【００２２】
以上説明したように、本発明の外壁の耐火構造によると、複数枚の無機板が互いに突き合わされて壁面に沿って並べられた無機板層を備え、各無機板の外面及び内面の少なくとも一方に気体遮蔽層を設けたことにより、軽量の薄い無機板により施工性を高めることができる。また、火災時の高温のガスが無機板を通して屋外側に流入するのを気体遮蔽層によって遮蔽するとともに、火災時の熱劣化や経年劣化を回避することができ、これらによって耐火性能を長期間に亘り安定して確保することができる。
【図面の簡単な説明】
【００２３】
【図１】図１は、本発明の実施形態に係る外壁の耐火構造を分解して示す斜視図である。
【図２】図２は、外壁の耐火構造の水平断面図である。
【図３】図３は、内側無機板層及び外側無機板層における無機板同士の継ぎ目の位置ずれ状態を概略的に示す正面図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものでは全くない。
【００２５】
図１及び図２は、本発明の実施形態に係る外壁の耐火構造を示し、この耐火構造は建物の外壁Ｗに設けられる。外壁Ｗは、建物の骨組みをなす横胴縁１の屋外側に配置される石膏ボード２と、この石膏ボード２の屋外側に配置される無機板層４，５と、この無機板層４，５の屋外側に配置される防水材１２と、この防水材１２の屋外側に配置される金属外装材１３とを備え、これらは重ねられてビス（図示せず）により横胴縁１に取付固定されている。
【００２６】
上記石膏ボード２は、例えば厚さ１２．５ｍｍの矩形板材からなる。
【００２７】
防水材１２は、例えばポリエチレン不織布からなる透湿性防水シートやアスファルト防水紙等からなる。
【００２８】
金属外装材１３は、例えば建物外壁用の角波形鋼板からなる。
【００２９】
無機板層４，５は、壁厚さ方向の略中央部に配置されて耐火構造の要部をなすものであり、内側無機板層４及び外側無機板層５の２層からなる。これら２層の無機板層４，５は互いに同じ構造であり、例えば矩形板状の複数枚の無機板６，６，…が周縁部で互いに突き合わされ、その突き合わせ部分を継ぎ目７とした状態で壁面に沿って並べられて形成されている。
【００３０】
各無機板６は、無機質材料を含む板材であり、難燃性、準不燃性又は不燃性であればどのような板材でもよく、例えば火山性ガラス質複層板（大建工業（株）製の商品名「ダイライトＳＤ」等）やケイカル板等が用いられる。この無機板６は、例えば厚さが１２．５ｍｍで、比重が０．５〜０．９のものが用いられ、施工性及び熱を伝え難い点から比重の低いものが好ましい。
【００３１】
そして、図３に例示するように、内側無機板層４における無機板６，６同士の突き合わせ部分に位置する継ぎ目７と、この内側無機板層４の壁厚さ方向外側に隣接する外側無機板層５における無機板６，６同士の突き合わせ部分に位置する継ぎ目７とは、壁面に沿った水平横方向（左右方向）に互いに位置ずれしており、両無機板層４，５を屋内側又は屋外側から見たときに、内側無機板層４（外側無機板層５）の無機板６，６同士の継ぎ目７は、基本的に外側無機板層５（内側無機板層４）の無機板６の左右中間部上に位置している。尚、図３では、無機板６，６，…を各々の横寸法の半分のずれ量だけずらしているが、このずれ量は変更してもよい。また、図３では、継ぎ目７の関係が明確になるように内側無機板層４及び外側無機板層５の各無機板６の１枚に斜線を加えている。無機板６の上下方向のずらしはなく、上下方向の目地については、例えばＴ型のジョイナーや、黒鉛含有セラミックファイバー等からなる目地テープを用いて目地を塞ぐことにより、高温ガス等の気体が遮蔽される。
【００３２】
さらに、内側無機板層４及び外側無機板層５における各無機板６の外面（屋外側の面）にそれぞれ気体遮蔽層９が一体的に設けられている。この内側無機板層４における各無機板６外面の気体遮蔽層９は、各無機板６において内外の無機板層４，５間の積層面に相当する面に設けられていることとなる。
【００３３】
この気体遮蔽層９は、例えば火災時に発生する高温の可燃性ガス等の気体が無機板層４，５や石膏ボード２を通過するのを遮蔽するためのものであり、例えば無機物を主成分とする不燃性塗料が用いられ、その塗料が塗布されて塗膜として形成される。この不燃性塗料は、例えば膨潤性の高い珪酸塩鉱物（バーミキュライトやベントナイト等）を主成分とし、アクリル樹脂やウレタン樹脂等で耐水性を持たせた塗料が好ましい。尚、気体遮蔽層９の透湿抵抗の一例を挙げると、不燃性塗料が塗布されていない火山性ガラス質複層板が０．０００９ｍ２・ｓ・Ｐａ／ｎｇに対して、塗布されたものは０．００３３ｍ２・ｓ・Ｐａ／ｎｇで、気体が透過し難いことを示している。
【００３４】
したがって、この実施形態に係る外壁Ｗの耐火構造は、複数枚の無機板６，６，…を互いに突き合わして並べた無機板層４，５が壁厚さ方向に２層積層されたものであり、その各無機板６は軽量であるので、外壁Ｗの施工の際に軽量の無機板６の取り扱いが容易となり、施工性を高めることができる。しかも、無機板６自体の耐火性能が高いので、その厚さを薄くすることができ、薄い無機板６を用いることによって施工性をさらに高めることができる。
【００３５】
また、各無機板６の外面に気体遮蔽層９が不燃性塗料の塗膜として設けられているので、火災時の高温のガス（気体）が屋外側から無機板６及び石膏ボード２を通して屋内側に流入しようとしてもそれは無機板６を通る前に気体遮蔽層９によって遮蔽されるようになり、耐火構造の耐火性能を高めることができる。
【００３６】
そして、２層の内側無機板層４及び外側無機板層５が壁厚さ方向に隣接し、内側無機板層４の無機板６，６同士の継ぎ目７と、外側無機板層５の無機板６，６同士の継ぎ目７とが互いに壁面に沿った方向に位置ずれしているので、仮に屋外側に位置する外側無機板層５における無機板６，６同士の継ぎ目７に火災時の高温のガスが進入しても、そのガスは同継ぎ目７に面する内側無機板層４の無機板６の中間部によって遮蔽されるようになり、それ以上の進入が阻止される。このことによって耐火構造の耐火性能をさらに高めることができる。
【００３７】
そのとき、上記壁厚さ方向に隣接する内側無機板層４及び外側無機板層５の各々の無機板６，６間、つまり内側無機板層４の各無機板６の外面であって両無機板層４，５間の積層面に相当する面に気体遮蔽層９が設けられているので、屋外側の無機板層５の無機板６，６間の継ぎ目７から流入して内側無機板層４の無機板６により遮蔽された上記可燃性ガスが、仮に壁面に沿った方向に移動しようとしても、そのガスは、内側無機板層４との間の積層面に設けられている気体遮蔽層９によって遮蔽され、屋内側に進入することが阻止される。このことでも耐火性能を高めることができる。
【００３８】
上記気体遮蔽層９は、無機物を主成分とする不燃性塗料であり、この不燃性塗料は耐熱性があるので、火災の炎に曝される部分にも使用することができる。
【００３９】
また、無機板６は有機材料と異なり、火災時の熱劣化や経年劣化が生じることはなく、しかも、無機板６には自由水や結合水が殆ど含まれていないので、その無機板６が火災時の熱によって割れることもなく、よって、耐火構造が長期間に亘り安定して得られ、その信頼性を高めることができる。
【００４０】
（その他の実施形態）
尚、上記実施形態では、無機板層４，５が壁厚さ方向に２層積層されているが、３層以上積層されていてもよい。或いは、無機板層は１層（上記実施形態の無機板層４，５の一方のみとする）であってもよい。１層の無機板層であっても、その各無機板６に設けられた気体遮蔽層９による高温ガスの遮蔽効果により耐火性能が得られるとともに、軽量で薄い無機板６による施工性の向上が図られる。
【００４１】
また、上記実施形態では、気体遮蔽層９が無機板６…の外面に設けられているが、無機板６の内面（屋内側の面）に設けられていてもよく、或いは無機板６の外面及び内面の両方に設けられていてもよい。要は、各無機板の外面及び内面の少なくとも一方に気体遮蔽層を設けて気体の通過を遮蔽するようにすればよい。
【００４２】
さらに、上記実施形態では、外壁Ｗの屋外側に金属外装材１３を配置しているが、窯業系サイディング、木材、モルタル、金属サイディングを有する外装材であってもよい。
【００４３】
また、建物の構造が木造軸組構造、木造枠組構造、軽量又は重量の鉄骨構造であっても本発明を適用することができる。
【産業上の利用可能性】
【００４４】
本発明は、外壁の耐火構造に関して軽量の薄い無機板により施工性を高め、耐火性能の向上を図ることができるので、極めて有用である。
【符号の説明】
【００４５】
Ｗ  外壁
２  石膏ボード
４  内側無機板層
５  外側無機板層
６  無機板
７  継ぎ目
９  気体遮蔽層
【図１】
2016118032.tif 000003
【図２】
2016118032.tif 000004
【図３】
2016118032.tif 000005